【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
撮像光学系を交換可能なレンズ交換式の記録装置において、
音声を集音する集音部と、
交換レンズから焦点距離の稼働範囲と現在の焦点距離を取得する焦点距離情報取得部と、
上記焦点距離の稼働範囲に対する指向性可変量を設定する連動特性設定部と、
上記焦点距離の現在位置に基づいて上記集音した音声の指向性を決定する指向性パラメータ決定部と、
上記決定された指向性パラメータに応じて上記集音した指向性を変更する指向性変更処理部と、
上記指向性変更処理部の変更処理に従って、上記集音部の指向性を可変にする指向性可変部と、
を具備することを特徴とする記録装置。
【請求項２】
上記連動特性設定部は、上記取得した焦点距離の稼働範囲から指向性稼働範囲を最大限に対応づけるようにすることを特徴とする請求項１に記載の記録装置。
【請求項３】
さらに、撮像した映像を処理する画像処理部を有し、
上記画像処理部によって処理される画像処理モードに応じて指向性稼働範囲を調整することを特徴とする請求項１または２に記載の記録装置。
【請求項４】
上記連動特性設定部は、上記交換レンズが固定焦点距離の場合には、上記指向性特性も固定の位置とすることを特徴とする請求項１に記載の記録装置。
【請求項５】
上記連動特性設定部は、指向性の最大および最小位置に加えて中間位置を更に指定することを特徴とする請求項１に記載の記録装置。
【請求項６】
上記焦点距離稼働範囲は、光学的稼働範囲とデジタル処理の稼働範囲とを有し、
上記連動特性設定部は、上記光学的稼働範囲とデジタル処理の稼働範囲のそれぞれに対応した指向性を設定することを特徴とする請求項１に記載の記録装置。
【請求項７】
上記焦点距離稼働範囲がデジタル処理で稼働する範囲のみの場合は、このデジタル処理の稼働範囲に対して焦点距離稼働範囲を設定することを特徴とする請求項１に記載の記録装置。
【請求項８】
撮影シーンを選択するシーン選択部を更に有し、
上記連動特性設定は、上記シーン選択部によって選択された撮影シーンに応じて指向性稼働範囲を調整することを特徴とする請求項１に記載の記録装置。
【請求項９】
上記交換レンズの種類を取得する交換レンズ種類取得部を更に有し、
上記連動特性設定部は、上記交換レンズ種類取得部によって取得された上記交換レンズの種類に応じて指向性稼働範囲を調整することを特徴とする請求項１に記載の記録装置。
【請求項１０】
上記焦点距離稼働範囲は、光学的稼働範囲とデジタル処理の稼働範囲とを有し、
上記連動特性部は、上記光学的稼働範囲とデジタルの稼働範囲が切り替わる位置で同じ指向性になるよう設定することを特徴とする請求項１に記載の記録装置。
【請求項１１】
上記焦点距離稼働範囲は、光学的稼働範囲とデジタル処理の稼働範囲とを有し、
装着された交換レンズがズームレンズでなく、且つ、デジタルズームが有効にされていない場合には、上記指向性可変部での変更を無効化し、
装着された交換レンズがズームレンズか、またはデジタルズームが有効にされているか、の少なくとも何れかの場合は、上記指向性可変部での変更を有効化する、
ことを特徴とする請求項１に記載の記録装置。
【請求項１２】
撮像光学系を交換可能な交換レンズと、音声を集音する集音部を有する記録装置における記録方法において、
上記交換レンズから焦点距離の稼働範囲と現在の焦点距離を取得する焦点距離情報取得ステップと、
上記焦点距離の稼働範囲に対する指向性可変量を設定する連動特性設定ステップと、
上記焦点距離の現在位置に基づいて上記集音した音声の指向性を決定する指向性パラメータ決定ステップと、
上記指向性パラメタータ決定ステップにおいて決定された指向性パラメータに応じて上記集音した指向性を変更する指向性変更処理ステップと、
上記指向性変更処理ステップにおける変更処理に従って、上記集音部の指向性を可変にする指向性可変ステップと、
を有することを特徴とする記録方法。
【請求項１３】
撮像光学系を交換可能な交換レンズと、音声を集音する集音部を有する記録装置のコンピュータを実行させるプログラムにおいて、
上記交換レンズから焦点距離の稼働範囲と現在の焦点距離を取得する焦点距離情報取得ステップと、
上記焦点距離の稼働範囲に対する指向性可変量を設定する連動特性設定ステップと、
上記焦点距離の現在位置に基づいて上記集音した音声の指向性を決定する指向性パラメータ決定ステップと、
上記指向性パラメタータ決定ステップにおいて決定された指向性パラメータに応じて上記集音した指向性を変更する指向性変更処理ステップと、
上記指向性変更処理ステップにおける変更処理に従って、上記集音部の指向性を可変にする指向性可変ステップと、
をコンピュータに実行させることを特徴とするプログラム。
【手続補正２】
【補正対象書類名】明細書
【補正対象項目名】発明の名称
【補正方法】変更
【補正の内容】
【発明の名称】記録装置、記録方法、およびプログラム
【手続補正３】
【補正対象書類名】明細書
【補正対象項目名】０００１
【補正方法】変更
【補正の内容】
【０００１】
本発明は、記録装置に関し、詳しくは、撮影レンズの焦点距離に応じた指向性の録音を行うことが可能な記録装置、記録方法、およびプログラムに関する。
【手続補正４】
【補正対象書類名】明細書
【補正対象項目名】０００６
【補正方法】変更
【補正の内容】
【０００６】
本発明は、このような事情を鑑みてなされたものであり、レンズ交換式の記録装置において、焦点距離の変化に応じてマイクの指向性の変化を実感することの可能な記録装置、記録方法、およびプログラムを提供することを目的とする。
【手続補正５】
【補正対象書類名】明細書
【補正対象項目名】０００７
【補正方法】変更
【補正の内容】
【０００７】
上記目的を達成するため第１の発明に係わる記録装置は、撮像光学系を交換可能なレンズ交換式の記録装置において、音声を集音する集音部と、交換レンズから焦点距離の稼働範囲と現在の焦点距離を取得する焦点距離情報取得部と、上記焦点距離の稼働範囲に対する指向性可変量を設定する連動特性設定部と、上記焦点距離の現在位置に基づいて上記集音した音声の指向性を決定する指向性パラメータ決定部と、上記決定された指向性パラメータに応じて上記集音した指向性を変更する指向性変更処理部と、上記指向性変更処理部の変更処理に従って、上記集音部の指向性を可変にする指向性可変部と、を具備する。
【手続補正６】
【補正対象書類名】明細書
【補正対象項目名】０００８
【補正方法】変更
【補正の内容】
【０００８】
第２の発明に係わる記録装置は、上記第１の発明において、上記連動特性設定部は、上記取得した焦点距離の稼働範囲から指向性稼働範囲を最大限に対応づけるようにする。
第３の発明に係わる記録装置は、上記第１または第２の発明において、さらに、撮像した映像を処理する画像処理部を有し、上記画像処理部によって処理される画像処理モードに応じて指向性稼働範囲を調整する。
【手続補正７】
【補正対象書類名】明細書
【補正対象項目名】００１１
【補正方法】変更
【補正の内容】
【００１１】
第７の発明に係わる記録装置は、上記第１の発明において、上記焦点距離稼働範囲がデジタル処理で稼働する範囲のみの場合は、このデジタル処理の稼働範囲に対して焦点距離稼働範囲を設定する。
第８の発明に係わる記録装置は、上記第１の発明において、撮影シーンを選択するシーン選択部を更に有し、上記連動特性設定は、上記シーン選択部によって選択された撮影シーンに応じて指向性稼働範囲を調整する。
第９の発明に係わる記録装置は、上記第１の発明において、上記交換レンズの種類を取得する交換レンズ種類取得部を更に有し、上記連動特性設定部は、上記交換レンズ種類取得部によって取得された上記交換レンズの種類に応じて指向性稼働範囲を調整する。
第１０の発明に係わる記録装置は、上記第１の発明において、上記焦点距離稼働範囲は、光学的稼働範囲とデジタル処理の稼働範囲とを有し、上記連動特性部は、上記光学的稼働範囲とデジタルの稼働範囲が切り替わる位置で同じ指向性になるよう設定する。
第１１の発明に係わる記録装置は、上記第１の発明において、上記焦点距離稼働範囲は、光学的稼働範囲とデジタル処理の稼働範囲とを有し、装着された交換レンズがズームレンズでなく、且つ、デジタルズームが有効にされていない場合には、上記指向性可変部での変更を無効化し、装着された交換レンズがズームレンズか、またはデジタルズームが有効にされているか、の少なくとも何れかの場合は、上記指向性可変部での変更を有効化する。
第１２の発明に係わる記録方法は、撮像光学系を交換可能な交換レンズと、音声を集音する集音部を有する記録装置における記録方法において、上記交換レンズから焦点距離の稼働範囲と現在の焦点距離を取得する焦点距離情報取得ステップと、上記焦点距離の稼働範囲に対する指向性可変量を設定する連動特性設定ステップと、上記焦点距離の現在位置に基づいて上記集音した音声の指向性を決定する指向性パラメータ決定ステップと、上記指向性パラメタータ決定ステップにおいて決定された指向性パラメータに応じて上記集音した指向性を変更する指向性変更処理ステップと、上記指向性変更処理ステップにおける変更処理に従って、上記集音部の指向性を可変にする指向性可変ステップと、を有する。
第１３の発明に係わるプログラムは、撮像光学系を交換可能な交換レンズと、音声を集音する集音部を有する記録装置のコンピュータを実行させるプログラムにおいて、上記交換レンズから焦点距離の稼働範囲と現在の焦点距離を取得する焦点距離情報取得ステップと、上記焦点距離の稼働範囲に対する指向性可変量を設定する連動特性設定ステップと、上記焦点距離の現在位置に基づいて上記集音した音声の指向性を決定する指向性パラメータ決定ステップと、上記指向性パラメタータ決定ステップにおいて決定された指向性パラメータに応じて上記集音した指向性を変更する指向性変更処理ステップと、上記指向性変更処理ステップにおける変更処理に従って、上記集音部の指向性を可変にする指向性可変ステップと、をコンピュータに実行させる。
【手続補正８】
【補正対象書類名】明細書
【補正対象項目名】００１２
【補正方法】変更
【補正の内容】
【００１２】
本発明によれば、レンズ交換式の記録装置において、焦点距離の変化に応じてマイクの指向性の変化を実感することの可能な記録装置、記録方法、およびプログラムを提供することができる。